(57)【要約】      （修正有）【課題】基板にハーネス等の部材をしっかりと取付ける取付け具を提供する。【解決手段】基板２０のクリップ取付け孔２１に取付けたクリップ１にワイヤ１６を取付け、該ワイヤ１６によって部材を基板２０上に緊縛固定するが、該ワイヤ１６の先端部に拡径部１７を設けておき、該拡径部１７によってクリップ１の左右一対の係止片が縮巾変形しないようにして該クリップ１が該基板２０のクリップ取付け孔２１から抜け出さないようにする。【選択図】図７
2007157951.tif 000002
【特許請求の範囲】
【請求項１】
ワイヤ貫通孔を設け底面から基板のクリップ取付け孔に嵌着される嵌着部を設けた台座と、該台座から立設されている左右一対の弾性係止片とからなるクリップと、該クリップに取付けられるワイヤとからなり、該クリップの係止片の内側中間部と外側中間部には係止段部が形成され、該クリップに取付けられるワイヤの先端には拡径部が形成されており、該ワイヤの拡径部の径は該クリップの左右一対の係止片の内側係止段部間の間隙よりも大きく設定され、かつ左右一対の係止片の内側係止段部より下側部分間の間隙と略等しく設定されており、該左右一対の係止片の外側係止段部の外巾は該基板のクリップ取付け孔の内巾よりも若干大きく設定されており、該クリップの台座のワイヤ貫通孔からワイヤを左右一対の係止片間に挿通し、該ワイヤの先端拡径部を該左右一対の係止片の内側係止段部の下側に到達せしめることによって該クリップの左右一対の係止片の内側への変形を阻止したことを特徴とする部材取付け具。
【請求項２】
該クリップの台座は弾性部材から構成され、該台座のワイヤ貫通孔には該台座外周から該ワイヤ貫通孔の径よりも若干小さい巾の切欠き部が連通している請求項１に記載の部材取付け具。
【請求項３】
該ワイヤと該クリップとの相互回転および／または該クリップと基板のクリップ取付孔との相互回転を阻止する手段が設けられている請求項１または２に記載の部材取付け具。
【請求項４】
該ワイヤには樹脂被覆が施されている請求項１〜３のいずれか１項に記載の部材取付け具。
【発明の詳細な説明】
【技術分野】
【０００１】
本発明は例えば基板にハーネス等の部材を取付けるための部材取付け具に関するものである。
【背景技術】
【０００２】
従来、基板にハーネス等を取付けるには、基板にワイヤをハンダ付けし、該ワイヤによってハーネスを緊縛する構成が採用されていたが、ハンダには有害物質が含まれており、その使用が規制される傾向にある。
上記ハンダ固定に代えて最近ではクリップを固定手段とする構成が提案されている（例えば特許文献１、２参照）。該クリップは基台から立設された左右一対の弾性係止片からなる。
【０００３】
【特許文献１】特開２００４−１２９４４５号公報
【特許文献２】特開２００５−２６１１３１号公報
【発明の開示】
【発明が解決しようとする課題】
【０００４】
上記従来のクリップは基板に取付けた状態で左右一対の弾性係止片が変形し易く、基板のクリップ取付け孔からはずれ易いと云う問題点があった。
【課題を解決するための手段】
【０００５】
本発明は上記従来の課題を解決するための手段として、ワイヤ貫通孔６を設け底面から基板２０のクリップ取付け孔２１に嵌着される嵌着部５を設けた台座２と、該台座２から立設されている左右一対の弾性係止片３，３とからなるクリップ１と、該クリップ１に取付けられるワイヤ１６とからなり、該クリップ１の係止片３，３の内側中間部と外側中間部には係止段部１３，１３，１１，１１が形成され、該クリップ１に取付けられるワイヤ１６の先端には拡径部１７が形成されており、該ワイヤ１６の拡径部１７の径は該クリップ１の左右一対の係止片３，３の内側係止段部１３，１３間の間隙よりも大きく設定され、かつ左右一対の係止片３，３の内側係止段部１３，１３より下側部分間の間隙と略等しく設定されており、該左右一対の係止片３，３の外側係止段部１１，１１の外巾は該基板２０のクリップ取付け孔２１の内巾よりも若干大きく設定されており、該クリップ１の台座２のワイヤ貫通孔６からワイヤ１６を左右一対の係止片３，３間に挿通し、該ワイヤ１６の先端拡径部１７を該左右一対の係止片３，３の内側係止段部１３，１３の下側に到達せしめることによって該クリップ１の左右一対の係止片３，３の内側への変形を阻止した部材取付け具を提供する。
該クリップ１の台座２は弾性部材から構成され、該台座２のワイヤ貫通孔６には該台座２外周から該ワイヤ貫通孔６の径よりも若干小さい巾の切欠き部７が連通していることが望ましく、また該ワイヤ１６と該クリップ１との相互回転および／または該クリップ１と基板２０のクリップ取付孔２１との相互回転を阻止する手段１８が設けられていることが望ましい。更に該ワイヤ１６には樹脂被覆１９が施されていることが望ましい。
【発明の効果】
【０００６】
〔作用〕
ワイヤ１６を該クリップ１の台座２のワイヤ貫通孔６から該クリップ１に挿通し、該ワイヤ１６の先端拡径部１７を該クリップ１の左右一対の係止片３，３の内側係止段部１３，１３より上側に位置せしめることによって、該クリップ１に該ワイヤ１６を取付けておき、該クリップ１を基板２０の所定位置に設けられているクリップ取付け孔２１に嵌着する。この状態で該クリップ１の左右一対の係止片３，３の外側係止段部１１，１１が該基板２０のクリップ取付け孔２１の下側周縁部に係止する。
この状態で更にワイヤ１６を該クリップ１に押込み、該ワイヤ１６の先端拡径部１７を該クリップ１の左右一対の係止片３，３の内側係止段部１３，１３の下側に達せしめる。そうすると該クリップ１の左右一対の係止片３，３が相互相寄る方向へ変形（縮巾変形）しようとしても、該ワイヤ１６の先端拡径部１７が該係止片３，３の内面に当接して該変形を阻止する。また該ワイヤ１６の先端拡径部１７が該クリップ１の左右一対の係止片３，３の内側係止段部１３，１３に係止され、該ワイヤ１６が該クリップ１から抜け出ることが阻止される。
【０００７】
該クリップ１の台座２は弾性部材から構成され、該台座２のワイヤ貫通孔６には該台座２外周から該ワイヤ貫通孔６の径よりも若干小さい巾の切欠き部７が連通していると、該ワイヤ１６を該クリップ１の台座２の切欠き部７から該ワイヤ貫通孔６に容易に嵌め込んで挿通せしめることが出来る。
【０００８】
該ワイヤ１６と該クリップ１との相互回転および／または該クリップ１と基板２０のクリップ取付孔２１との相互回転を阻止する手段が設けられていると、該ワイヤ１６がずれることなく該ワイヤ１６によって部材を基板２０にしっかり緊縛することが出来る。
【０００９】
該ワイヤ１６には樹脂被覆１９が施されていると、該ワイヤ１６によって該部材が傷付くことなく、更に該樹脂被覆１９の弾性によって該部材を強く緊縛することが出来る。
【００１０】
〔効果〕
したがって、本発明では、基板に部材を確実に強固にかつ簡単に取付けることが出来る。
【発明を実施するための最良の形態】
【００１１】
本発明を図１〜図８に示す一実施例によって以下に詳細に説明する。図に示すクリップ１は台座２と、該台座２から立設されている左右一対の係止片３，３とからなり、該クリップ１は熱可塑性樹脂の射出成形によって一体的に成形される。該クリップ１の材料としての熱可塑性樹脂は、例えばポリプロピレン、ポリスチレン、ポリ塩化ビニル（ＰＶＣ）、フッ素樹脂、アクリロニトリル−ブタジエン−スチレン樹脂（ＡＢＳ）、ポリフェニレンオキサイド（ＰＰＯまたはＰＰＥ）、ポリアミド、ポリカーボネート等の硬質ではあるが弾性を有する樹脂が用いられる。
【００１２】
該台座２は平面形状丸角四角形であり、該台座２の本体の底面からは顎部４を介して縮径された平面形状四角形の嵌着部５が設けられている。該嵌着部５は、後記する基板２０のクリップ取付け孔２１に嵌着される。
該台座２の中央部には丸孔であるワイヤ貫通孔６が設けられており、該台座２外周から該ワイヤ貫通孔６には該ワイヤ貫通孔６の径ｄ5 よりも若干小さい巾ｄ6 の切欠き部７（ｄ5 ＞ｄ6 ）が連通しており（図８参照）、更に該ワイヤ貫通孔６には縦方向に一対のキー溝８，８が設けられている。
【００１３】
該台座２から立設されている左右一対の係止片３，３は上段部９，９と下段部１０，１０とからなり、該上段部９，９の外面９Ａ，９Ａは該台座２の嵌着部５の側面から内側に向かって若干傾斜しており、下縁は外側に膨出して外側係止段部１１，１１を形成しており、該外側係止段部１１，１１の上面１２，１２は外側に向かって低く傾斜している。そして該左右一対の係止片３，３の外側係止段部１１，１１の外巾ｄ2 は該台座２の嵌着部５の巾ｄ1 よりも若干大きく設定（ｄ2 ＞ｄ1 ）されている（図１参照）。
【００１４】
該上段部９，９の内面下縁には内側係止段部１３，１３が突設されており、該内側係止段部１３，１３の上面１４，１４は内側に低く傾斜してくさび面を形成している。
【００１５】
該左右一対の係止片３，３の下段部１０，１０は側面Ｌ形状をしており、外面１５，１５は下方に向かって内側に傾斜してくさび面を形成している。
【００１６】
上記クリップ１に取付けられるワイヤ１６の先端には塑性加工によって平面形状円形の拡径部１７が形成されており、更にワイヤ１６の先端より奥側には塑性加工により左右一対のキー１８，１８が形成されている。そして該ワイヤ１６には樹脂被覆１９が施されている。該樹脂被覆１９はポリプロピレン、ポリエチレン、ポリ塩化ビニル、フッ素樹脂等の樹脂を材料とする。該ワイヤ１６の径ｄ5 は該クリップ１の台座２のワイヤ貫通孔６の径と略等しく、拡径部１７の径ｄ4 は該クリップ１の係止片３，３の内側係止段部１３，１３間の間隙巾ｄ7 よりも大きくかつ下段部１０，１０の間隙ｄ3 と略等しく設定されている。
【００１７】
上記クリップ１にワイヤ１６を取付けるには、図５に示すようにクリップ１の台座２のワイヤ貫通孔６に該ワイヤ１６を挿通する。この際、該ワイヤ１６は該クリップ１の台座２の切欠き部７から該ワイヤ貫通孔６に挿通するが、該ワイヤ１６を該台座２の切欠き部７に通す時、前記したようにｄ5 ＞ｄ6 であるから、該台座２は該切欠き部７の巾が拡がる方向（拡巾方向）に変形する。
【００１８】
このようにして該クリップ１に該ワイヤ１６を取付けた状態で基板２０のクリップ取付け孔２１に該クリップ１の左右一対の係止片３，３を通した上で台座２の嵌着部５を嵌着する。該基板２０のクリップ取付け孔２１は該台座２の嵌着部５の平面形状四角形と略同寸法（ｄ1 ）の平面形状四角形とされている（図６参照）。該クリップ取付け孔２１に該左右一対の係止片３，３を通す時は該係止片３，３の下段部１０，１０のくさび面である外面１５，１５が該基板２０のクリップ取付け孔２１の左右周壁に押されて該係止片３，３はそれぞれ相寄る方向に弾性変形（縮巾変形）し、完全に嵌め込んだ状態では該係止片３，３は元の状態に弾性復元し、該クリップ１は台座２の顎部４と該係止片３，３の外側係止段部１１，１１の上面１２，１２との間で該基板２０のクリップ取付け孔２１の周縁上下を挟持して該取付け孔２１に固定される。
【００１９】
該クリップ１を該基板２０のクリップ取付け孔２１に嵌着固定したら、該ワイヤ１６を更に奥側に挿込み該ワイヤ１６の先端拡径部１７を該クリップ１の左右一対の係止片３，３の下段部１０，１０の間に達せしめる。この時該ワイヤ１６の拡径部１７は係止片３，３の内側係止段部１３，１３のくさび面である上面１４，１４を押し広げて該係止片３，３を拡巾変形させつゝ該内側係止段部１３，１３の下側、即ち該係止片３，３の下段部１０，１０間に達する（ｄ4 ＞ｄ7 ）。該ワイヤ１６の拡径部１７が該係止片３，３の内側係止段部１３，１３の下側、即ち下段部１０，１０間に達すると、該係止片３，３の拡巾変形は弾性的に復元する。
【００２０】
このようにしてワイヤ１６を取付けたクリップ１が基板２０のクリップ取付け孔２１に取付けられるが、該クリップ１の係止片３，３の内側係止段部１３，１３より下側、即ち下段部１０，１０間に該ワイヤ１６の拡径部１７が介在しており、ｄ4 ≒ｄ7 であるから、該クリップ１の左右一対の係止片３，３の相互相寄る方向（図７矢印イ）への変形、即ち縮巾変形は該ワイヤ１６の拡径部１７によって阻止され、かくして該クリップ１は該基板２０の取付け孔２１にはずれることなく確実に取付けられる。また前記したようにｄ4 ＞ｄ7 であり、したがって該ワイヤ１６に引抜き方向の力が及ぼされても、該ワイヤ１６の拡径部１７が該係止片３，３の内側係止段部１３，１３の下面に引掛かり、該ワイヤ１６が該クリップ１から抜けることが阻止される。
【００２１】
更に該クリップ１の台座２の嵌着部５は前記したように該基板２０のクリップ取付け孔２１の平面形状四角形と略同寸法（ｄ1 ）の平面形状四角形であるから（図６参照）、該嵌着部５を該取付け孔２１に嵌着した状態では該クリップ１が該基板２０の取付け孔２１に対してがたついたり回転することを阻止され、更に該ワイヤ１６の左右一対のキー１８，１８が該クリップ１の台座２の貫通孔６のキー溝８，８に係合し（図８参照）、該ワイヤ１６が該クリップ１に対して回転することを阻止される。なお該ワイヤ１６のキー１８，１８は樹脂被覆１９がそれより先端側に滑動しないよう阻止する役目も果たしている。
【００２２】
このようにして基板２０のクリップ取付け孔２１にクリップ１を取付けた後、該クリップ１に取付けたワイヤ１６によってハーネス等の部材を緊縛して基板２０上に固定する。
【００２３】
上記実施例以外、該係止片の内側係止段部は上面をくさび面とする代りに側断面弧状形状にされてもよく、また台座２の嵌着部５は平面形状六角形、楕円形等にされてもよく、それに対応して基板の取付け孔も六角形状、楕円形状等にされてもよい。該嵌着部５の平面形状を円形にしてもよいが、その場合には該台座２の取付け孔に対する回転阻止は出来ない。更に図９に示すようにワイヤ１６の拡径部１７Ａを平面形状四角形としてクリップ１の係止片３，３の下段部１０，１０の内面に該拡径部１７Ａの左右辺を沿わせれば、キーとキー溝とを設けることなく、ワイヤがクリップに対して回転することが阻止される。また図１０に示すように、ワイヤ１６を平面形状四角形とし、更にワイヤ貫通孔６を平面形状四角形として、ワイヤ貫通孔６の内面に、ワイヤ１６の各面を沿わせれば、キーとキー溝とを設けることなく、ワイヤがクリップ１に対して回転することが阻止される。
【産業上の利用可能性】
【００２４】
本発明は基板上に部材を簡単かつしっかり取付けることが出来るので、産業上の利用可能である。
【図面の簡単な説明】
【００２５】
図１〜図８は本発明の一実施例を示すものである。
【図１】ワイヤとクリップの側面図
【図２】クリップの正面図
【図３】クリップの平面図
【図４】クリップの底面図
【図５】ワイヤをクリップに取付け、該クリップを基板のクリップ取付け孔に取付けた状態の側面図
【図６】基板のクリップ取付け孔の平面図
【図７】ワイヤをクリップに押込んだ状態の側面図
【図８】ワイヤを取付けた状態のクリップ平面図
【図９】他の実施例のクリップ切欠き底面図
【図１０】更に他の実施例のクリップの平面図
【符号の説明】
【００２６】
１        クリップ
２        台座
３        係止片
５        嵌着部
６        ワイヤ貫通孔
７        切欠き部
８        キー溝
９        上段部
１０      下段部
１１      外側係止段部
１２      上面
１３      内側係止段部
１４      上面
１６      ワイヤ
１７，１７Ａ  拡径部
１８      キー（相互回転阻止手段）
１９      樹脂被覆
２０      基板
２１      クリップ取付け孔
【図１】
2007157951.tif 000003
【図２】
2007157951.tif 000004
【図３】
2007157951.tif 000005
【図４】
2007157951.tif 000006
【図５】
2007157951.tif 000007
【図６】
2007157951.tif 000008
【図７】
2007157951.tif 000009
【図８】
2007157951.tif 000010
【図９】
2007157951.tif 000011
【図１０】
2007157951.tif 000012